(57)【要約】【課題】複数箇所の活電部に対する絶縁カバー部材の装着の手間が軽減され，また，その絶縁カバー部材を未装着のまま作業がなされる作業手順ミスが生じにくい液晶表示装置を提供すること。【解決手段】開閉可能な背面外装パネル２の開状態の装置内部における高電圧基板６ａ（活電部）を覆う複数の絶縁カバー部材１０が設けられ，それらが，複数箇所の前記高電圧基板６ａのブロックそれぞれに対応した位置のシート巻取り部２０により，前記絶縁カバー部材１０が広げられて前記高電圧基板６ａが覆われる被覆状態から，前記絶縁カバー部材１０が所定の待避位置にまとめられる退避状態までの範囲で前記絶縁カバー部材１０を伸縮可能に支持される。また，活電部給電制御回路５０が，背面外装パネル２の開状態が検知され，全ての前記絶縁カバー部材１０が被覆状態であることが検知されていないときに，前記高電圧基板６ａに対する給電を停止させる。【選択図】図１
2010060828.tif 000002
【特許請求の範囲】
【請求項１】
開閉可能な外装カバーが開かれた場合に露出する装置内部に，活電部を一部に含む電装部品群が配置されてなる液晶表示装置であって，
複数箇所の前記活電部それぞれを覆う複数の絶縁カバー部材と，
装置内部における複数箇所の前記活電部それぞれに対応した位置において，前記絶縁カバー部材が広げられて該絶縁カバー部材により前記活電部が覆われる被覆状態から，前記絶縁カバー部材が所定の退避位置にまとめられて前記活電部の覆いが解放される退避状態までの範囲で前記絶縁カバー部材を伸縮可能に支持する複数の絶縁カバー部材支持手段と，
を具備してなることを特徴とする液晶表示装置。
【請求項２】
前記外装カバーの開閉状態を検知する外装カバー検知手段と，
複数の前記絶縁カバー部材の全てが前記被覆状態となっている全被覆状態であるか否かを検知する全被覆状態検知手段と，
前記外装カバー検知手段により前記外装カバーが開かれていることが検知されている場合に，前記全被覆状態検知手段により前記全被覆状態であることが検知されていないときに前記活電部に対する給電を停止させる第１の給電停止手段と，
を具備してなる請求項１に記載の液晶表示装置。
【請求項３】
前記第１の給電停止手段が，前記外装カバー検知手段により前記外装カバーが開かれていることが検知されている場合に，前記全被覆状態検知手段により前記全被覆状態が検知されてからその検知状態が予め定められた時間継続するまでの期間においても，前記活電部に対する給電を停止させてなる請求項２に記載の液晶表示装置。
【請求項４】
複数の前記絶縁カバー部材の全てが前記退避状態となっている全退避状態であるか否かを検知する全退避状態検知手段と，
前記外装カバー検知手段により前記外装カバーが閉じられていることが検知されている場合に，前記全退避状態検知手段により前記全退避状態ではないことが検知されているときに前記活電部に対する給電を停止させる第２の給電停止手段と，
を具備してなる請求項２又は３のいずれかに記載の液晶表示装置。
【請求項５】
前記絶縁カバー部材支持手段が，シート状の前記絶縁カバー部材を巻き取る又はその巻き取りを解くことにより，シート状の前記絶縁カバー部材を前記被覆状態から前記退避状態までの範囲で伸縮させるシート巻取り部を備えてなる請求項１〜４のいずれかに記載の液晶表示装置。
【請求項６】
前記絶縁カバー部材が，透明又は半透明の部材である請求項１〜５のいずれかに記載の液晶表示装置。
【発明の詳細な説明】
【技術分野】
【０００１】
本発明は，液晶表示装置に関し，特に，高電圧部（活電部）への接触に関する安全性の高い液晶表示装置に関するものである。
【背景技術】
【０００２】
液晶表示装置は，液晶パネル及びそれを照明するバックライトを備えている。一般に，そのバックライトの光源としては，蛍光管が採用されることが多い。
そして，前記バックライトに採用される蛍光管は，数百ボルトから数千ボルトの高電圧が，インバータ制御によって供給されることがある。そのため，前記蛍光管に対する給電制御を行うインバータ回路基板等は，人が接触すると感電の危険性を有する部分（活電部）となる。
また，液晶表示装置は，一般に，背面側の外装カバーが開閉可能に設けられ，その外装カバーが開かれた場合に露出する装置内部に，活電部を含む電装部品群が配置されている。そして，装置内のメンテナンスを行う作業者は，前記外装カバーが開かれ，活電部を含む電装具品群への給電がなされた状態で，装置内の各種メンテナンスを行うことがある。そのため，液晶表示装置においては，装置内のメンテナンスを行う作業者が活電部に接触することを防止する感電防止構造を有することが重要である。
また，大型の液晶表示装置においては，外部電源（商用電源）に２００ボルトの電源が採用されることや，バックライト用の光源として熱陰極管が採用されることがある。その場合，回路構成の都合上，活電部が，前記インバータ回路基板の他，外部電源電圧の入力基板や，外部電源電圧を昇圧して複数の前記インバータ回路基板に分配するインバータ電源回路の基板等の多くの基板に渡り，活電部が装置内部において広範囲に存在することになる。そのため，液晶表示装置が前記感電防止構造を有することが特に重要である。
【０００３】
ところで，液晶表示装置における活電部は，外装カバーが閉じられた状態では非常に高温になる。そのため，活電部が絶縁部材によって常に覆われた状態とする感電防止構造は，活電部の回路等の熱破壊につながるため好ましくない。
一方，特許文献１には，配電盤における制御機器を覆う絶縁カバー部材（絶縁シート）が面ファスナー等により着脱可能に構成された感電防止用カバーについて示されている。
【特許文献１】特開平９−１７２７０６号公報
【発明の開示】
【発明が解決しようとする課題】
【０００４】
しかしながら，形状や大きさの異なる複数の活電部が複数箇所に散在している場合に，複数箇所の活電部それぞれについて，その形状や大きさに対応した絶縁カバー部材を適切に選んで装着する作業は手間であるという問題点があった。
また，作業者は，外装カバーを開いた時点において，装着すべき絶縁カバー部材の存在を忘却しがちであり，絶縁カバー部材を装着せずにメンテナンス作業を開始してしまう作業手順ミスを犯しやすいという問題点もあった。
従って，本発明は上記事情に鑑みてなされたものであり，その目的とするところは，複数箇所の活電部に対する絶縁カバー部材の装着の手間が軽減され，また，その絶縁カバー部材を未装着のまま作業がなされる作業手順ミスが生じにくい液晶表示装置を提供することにある。
【課題を解決するための手段】
【０００５】
上記目的を達成するために本発明に係る液晶表示装置は，開閉可能な外装カバーが開かれた場合に露出する装置内部に，活電部を一部に含む電装部品群が配置された装置であり，次の（１）及び（２）に示される各構成要素を備えている。
（１）複数箇所の前記活電部それぞれを覆う複数の絶縁カバー部材。
（２）装置内部における複数箇所の前記活電部それぞれに対応した位置において，前記絶縁カバー部材が広げられて該絶縁カバー部材により前記活電部が覆われる被覆状態から，前記絶縁カバー部材が所定の待避位置にまとめられて前記活電部の覆いが解放される退避状態までの範囲で前記絶縁カバー部材を伸縮可能に支持する複数の絶縁カバー部材支持手段。
【０００６】
本発明に係る液晶表示装置においては，絶縁カバー部材が，複数箇所の活電部それぞれに対応した装置内部の位置において，その活電部を覆う被覆状態から，その活電部を解放する待避状態までの範囲で伸縮可能に支持される。
従って，本発明に係る液晶表示装置においては，複数箇所の活電部それぞれについて，その形状や大きさに対応した前記絶縁カバー部材を適切に選ぶ手間を要せず，前記絶縁カバー部材の装着する作業が容易である。
また，作業者は，前記外装カバーを開いた時点において，装着すべき前記絶縁カバー部材を視認できる（その存在に気付く）ため，前記絶縁カバー部材を装着せずにメンテナンス作業を開始してしまう作業手順ミスを犯しにくい。
【０００７】
また，本発明に係る液晶表示装置が，さらに次の（３）〜（５）に示される各構成要素を備えればなお好適である。
（３）前記外装カバーの開閉状態を検知する外装カバー検知手段。
（４）複数の前記絶縁カバー部材の全てが前記被覆状態となっている全被覆状態であるか否かを検知する全被覆状態検知手段。
（５）前記外装カバー検知手段により前記外装カバーが開かれていることが検知されている場合に，前記全被覆状態検知手段により前記全被覆状態であることが検知されていないときに前記活電部に対する給電を停止させる第１の給電停止手段。
これにより，作業者が前記絶縁カバー部材を前記全被覆状態にするまでは，活電部への給電はなされないので，作業手順ミスに起因する感電を防止できる。
また，前記第１の給電停止手段が，前記外装カバー検知手段により前記外装カバーが開かれていることが検知されている場合に，前記全被覆状態検知手段により前記全被覆状態が検知されてからその検知状態が予め定められた時間継続するまでの期間においても，前記活電部に対する給電を停止させることが考えられる。
これにより，作業者による前記絶縁カバー部材の操作途中において，一時的に前記全被覆状態となった際に，前記活電部に対する給電が開始されてしまうことを防止できる。即ち，前記活電部に対する給電が，作業者による前記全被覆状態への切り替え操作が確実に終了した後に開始され，より安全である。
【０００８】
また，本発明に係る液晶表示装置が，さらに次の（６）及び（７）に示される各構成要素を備えればなお好適である。
（６）複数の前記絶縁カバー部材の全てが前記待避状態となっている全待避状態であるか否かを検知する全待避状態検知手段。
（７）前記外装カバー検知手段により前記外装カバーが閉じられていることが検知されている場合に，前記全待避状態検知手段により前記全待避状態ではないことが検知されているときに前記活電部に対する給電を停止させる第２の給電停止手段。
これにより，作業者が，誤って１つ以上の前記絶縁カバー部材を前記被覆状態としたままで前記外装カバー部材を装着してしまった場合に，前記活電部に対する給電がなされて部品の熱破壊が生じることを防止できる。
また，前記絶縁カバー部材支持手段の一例としては，シート状の前記絶縁カバー部材を巻き取る又はその巻き取りを解くことにより，シート状の前記絶縁カバー部材を前記被覆状態から前記退避状態までの範囲で伸縮させるシート巻取り部を備えたものが考えられる。
また，前記絶縁カバー部材が，透明又は半透明の部材であることが考えられる。これにより，前記被覆状態においても前記活電部の状態を視認できるので好適である。
【発明の効果】
【０００９】
本発明によれば，液晶表示装置のメンテナンス作業において，複数箇所の活電部に対する絶縁カバー部材の装着の手間が軽減され，また，その絶縁カバー部材を未装着のまま作業がなされる作業手順ミスを防止できる。
【発明を実施するための最良の形態】
【００１０】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施形態に係る液晶表示装置Ｘの背面外装パネルが非装着の状態の背面図及び側断面図，図２は液晶表示装置Ｘにおける活電部給電制御回路の制御パターンを表す図，図３は活電部給電制御回路の一例を表す回路図である。
【００１１】
まず，図１を参照しつつ，本発明の実施形態に係る液晶表示装置Ｘの構成について説明する。
液晶表示装置Ｘは，液晶パネル３，その液晶パネル３の背面側を照明する複数の蛍光管４，前記液晶パネル３及び前記蛍光管４の周囲を覆い外装を形成する外装枠１，その外装枠１の背面側の開口を覆う背面外装パネル２等を備えている。
前記背面外装パネル２は，前記外装枠１の背面側に対してビスにより着脱可能に取り付けられており，前記外装枠１の背面側の開口を開閉可能な外装カバーである。なお，前記外装枠１の背面側の開口が複数に区分され，前記背面外装パネル２が，背面側の複数の開口ごとに設けられることも考えられる。
前記外装枠１の内側には，前記背面外装パネル２の開閉状態（取り外された状態又は装着された状態）を検知する外装カバー検知手段の一例である背面カバーセンサ３０が設けられている。この背面カバーセンサ３０は，例えばスナップアクションスイッチ（いわゆるマイクロスイッチ）等であり，そのアクチュエータ部が，前記外装枠１の背面側に装着された前記背面外装パネル２によって付勢（押圧）されるように取り付けられている。前記背面外装パネル２が装着されると，その背面外装パネル２の付勢力によって前記背面カバーセンサ３０がＯＮ状態となり，これによって前記背面外装パネル２の閉状態が検知される。また，前記背面外装パネル２が取り外されると，前記背面カバーセンサ３０がＯＦＦ状態となり，これによって前記背面外装パネル２の開状態が検知される。
【００１２】
前記蛍光管４は，例えば，熱陰極管であり，前記外装枠１に内包されたパネル部材であるバックライトシャーシ５によりその前面側に支持されている。
また，前記バックライトシャーシ５には，その背面側に各種の基板６ａ，６ｂが支持されている。
前記基板には，例えば，３００Ｖを超える電圧が印加され，それに触れると感電の恐れが高い高電圧基板６ａと，それ以外の中・低電圧基板６ｂとが含まれる。即ち，前記高電圧基板６ａは，活電部の一例である。前記高電圧基板６ａには，例えば，２００Ｖの外部電源（商用電源）の入力基板や，前記蛍光管４に対して３００Ｖ以上の電圧をインバータ制御によって供給するインバータ回路基板や，外部電圧を３００Ｖ以上の電圧に昇圧して複数の前記インバータ回路基板へ分配するインバータ電源回路基板等が含まれる。即ち，開閉可能な前記背面外装パネル２が開かれた場合（取り外された場合）に露出する装置内部の前記バックライトシャーシ５の背面側に，活電部である前記高電圧基板６ａを一部に含む基板郡６ａ，６ｂ（電装部品郡の一例）が配置されている。
【００１３】
また，図１に示されるように，前記高電圧基板６ａ（活電部）は，前記バックライトシャーシ５（装置内部）における複数箇所に，広い範囲に渡って散在している。図１に示される例では，複数の前記高電圧基板６ａが，縦方向４列に配列されている。
また，装置内には，電気的絶縁部材である複数の絶縁カバー部材１０が設けられている。前記絶縁カバー部材１０は，前記バックライトシャーシ５における１列分の前記高電圧基板６ａのブロックそれぞれ（複数箇所の活電部それぞれ）に対して設けられ，各１列分の前記高電圧基板６ａのブロック全体を覆うシート状の部材である。
前記絶縁カバー部材１０は，透明又は半透明のシート状部材であり，その材質は，例えば，ポリカーボネイト等である。これにより，前記被覆状態においても前記高電圧基板６ａの状態，例えば，回路の動作状態を表すＬＥＤランプの点灯状態や配線の状態等を視認できるので好適である。
また，前記バックライトシャーシ５（装置内部）における１列分の前記高電圧基板６ａのブロックごとに，その上方の位置にシート巻取り部２０が設けられている。
複数の前記シート巻取り部２０は，シート状の前記絶縁カバー部材１０を巻き取る又はその巻き取りを解くことにより，シート状の前記絶縁カバー部材１０を所定の被覆状態から退避状態までの範囲で伸縮可能に支持するものである（絶縁カバー部材支持手段の一例）。ここで，前記被覆状態は，前記絶縁カバー部材１０が広げられてその絶縁カバー部材１０により１列分の前記高電圧基板６ａのブロック（活電部）が覆われる状態である。また，前記退避状態は，前記絶縁カバー部材１０が前記シート巻取り部２０の回転軸（待避位置の一例）に巻き取られて（まとめられて）１列分の前記高電圧基板６ａのブロックの覆いが解放される状態である。
筒状の前記シート巻取り部２０には，それを回転駆動させるスプリングセット（不図示）が内包されている。即ち，前記スプリングセットは，シート状の前記絶縁カバー部材１０を巻き取る回転方向に前記シート巻取り部２０を弾性付勢する。前記シート巻取り部２０及び前記スプリングセットは，いわゆるスプリング式のロールスクリーンに採用されているシート部材の巻取り機構を構成している。
【００１４】
前記絶縁カバー部材１０それぞれの先端部には係合孔が設けられている。また，前記バックライトシャーシ５（装置内部）における１列分の前記高電圧基板６ａのブロックごとに，その下方の位置に前記係合孔と係合する引掛け部４１が設けられている。
また，前記引掛け部４１それぞれは，前記絶縁カバー部材１０が前記被覆状態であるた前記退避状態であるかを検知する絶縁カバーセンサ４０に連結されている。この絶縁カバーセンサ４０は，例えば，スナップアクションスイッチ等であり，そのアクチュエータ部に前記引掛け部４１が連結されている。前記引掛け部４１に前記絶縁カバー部材１０の係合孔が係合されると，前記シート巻取り部２０の引っ張り力（巻き戻す力）によって前記絶縁カバーセンサ４０がＯＮ状態となり，これによって前記被覆状態が検知される。また，前記引掛け部４１に対する前記絶縁カバー部材１０の係合が解除されると，前記絶縁カバーセンサ４０がＯＦＦ状態となり，これによって前記退避状態が検知される。
複数の前記絶縁カバーセンサ４０は，複数の前記絶縁カバー部材１０の全てが前記被覆状態となっている全被覆状態であるか否かを検知する全被覆状態検知手段の一例である。さらに，複数の前記絶縁カバーセンサ４０は，複数の前記絶縁カバー部材１０の全てが前記退避状態となっている全退避状態であるか否かを検知する全退避状態検知手段の一例でもある。
【００１５】
また，前記中・低電圧基板６ｂの一部には，前記高電圧基板６ａ（活電部）に対する給電を許容するか禁止（停止）するかを制御する活電部給電制御回路５０が設けられている。
図３は，前記活電部給電制御回路５０の一例を表す図である。
図３に示される前記活電部給電制御回路５０は，以下に示される素子及び回路を有している。
・複数の前記絶縁カバーセンサ４０の検出信号の反転論理和信号を出力するＮＯＲ素子５１。
・前記背面カバーセンサ３０の検出信号と前記ＮＯＲ素子５１の出力信号との論理積信号を出力するＡＮＤ素子５３。
・前記背面カバーセンサ３０の出力信号の反転信号を出力するＮＯＴ素子５４。
・複数の前記絶縁カバーセンサ４０の検出信号の論理積信号を出力するＡＮＤ素子５２。
・前記ＮＯＴ素子５４の出力信号と前記ＡＮＤ素子５２の出力信号との論理積信号を出力するＡＮＤ素子５５。
・前記ＡＮＤ素子５３の出力信号と前記ＡＮＤ素子５５の出力信号との論理和信号を出力するＯＲ素子５６。
・前記ＯＲ素子５６の出力信号の変化（ＯＮからＯＦＦ，ＯＦＦからＯＮ）を所定時間遅延させる遅延回路５７。
・前記ＯＲ素子５６の出力信号と前記遅延回路５７の出力信号との論理積信号を出力するＡＮＤ素子５８。
そして，前記ＡＮＤ素子５８の出力信号は，前記高電圧基板６ａへの給電ラインを接続又は遮断する給電スイッチ（不図示）に対する制御信号であり，それがＯＮであるときに前記高電圧基板６ａへの給電が許容され，それがＯＦＦであるときに前記高電圧基板６ａへの給電が禁止（停止）される。
なお，図３に示される回路はあくまで一例であり，他の回路であってもよい。
【００１６】
そして，図３に示されるような構成を有する前記活電部給電制御回路５０は，以下のような給電停止制御を行う。
図２は，前記活電部給電制御回路５０の制御パターンを表す図である。
図２に示されるように，前記活電部給電制御回路５０は，前記背面カバーセンサ３０により前記背面外装パネル２が開状態であることが検知されている場合に，複数の前記絶縁カバーセンサ４０により前記全被覆状態であることが検知されていないときに前記高電圧基板６ａ（活電部）に対する給電を停止させる（給電不可）第１の給電停止制御を行う。
また，前記活電部給電制御回路５０は，前記第１の給電停止制御による前記高電圧基板６ａへの給電停止状態から給電許容状態（給電可）へ復帰させる場合には，給電停止の条件が解除された状態が所定時間継続するのを待って給電許容状態へ復帰させる。即ち，前記活電部給電制御回路５０は，前記背面カバーセンサ３０により前記背面外装パネル２が開状態であることが検知されている場合に，複数の前記絶縁カバーセンサ４０により前記全被覆状態であることが検知されてからその検知状態が予め定められた時間（例えば，１０秒程度）継続するまでの期間においても，前記高電圧基板６ａに対する給電を停止させる。
これにより，作業者による前記絶縁カバー部材１０の操作途中において，一時的に前記全被覆状態となった際に，前記高電圧基板６ａに対する給電が開始されてしまって感電が生じることを防止できる。
【００１７】
また，前記活電部給電制御回路５０は，前記背面カバーセンサ３０により前記背面外装パネル２が閉状態であることが検知されている場合に，複数の前記絶縁カバーセンサ４０により前記全退避状態ではないことが検知されているときに前記高電圧基板６ａに対する給電を停止させる（給電不可）第２の給電停止制御を行う。
前記第１の給電停止制御により，作業者が前記絶縁カバー部材１０を前記全被覆状態にするまでは，前記高電圧基板６ａへの給電はなされないので，作業手順ミスに起因する感電を防止できる。
また，前記第２の給電停止制御により，作業者が，誤って１つ以上の前記絶縁カバー部材１０を前記被覆状態としたままで前記背面外装パネル２を装着してしまった場合に，前記高電圧基板６ａに対する給電がなされて部品の熱破壊が生じることを防止できる。
【００１８】
以上に示された実施形態は，前記シート巻取り部２０が，シート状の前記絶縁カバー部材１０を巻き取って前記退避状態とする例であるが，他の実施形態も考えられる。
例えば，前記絶縁カバー部材１０が，蛇腹状に形成され，前記高電圧基板６ａのブロックの上側や下側等の所定の位置に，折り畳まれた状態でまとめられることによって前記退避状態となる実施形態も考えられる。この場合，前記絶縁カバー部材１０は，広げられた状態で矩形状に形成され，所定間隔で折り目が形成された蛇腹状の部材である。
また，シート状又は蛇腹状の前記絶縁カバー部材１０が，左右方向において広げられて前記被覆状態となり，前記高電圧回路６ａのブロックの左右いずれか一方の位置にまとめられて前記退避状態となる構成も考えられる。
【産業上の利用可能性】
【００１９】
本発明は，液晶表示装置への利用が可能である。
【図面の簡単な説明】
【００２０】
【図１】本発明の実施形態に係る液晶表示装置Ｘの背面外装パネルが非装着の状態の背面図及び側断面図。
【図２】液晶表示装置Ｘにおける活電部給電制御回路の制御パターンを表す図。
【図３】活電部給電制御回路の一例を表す回路図。
【符号の説明】
【００２１】
Ｘ  ：液晶表示装置
１  ：外装枠
２  ：背面外装パネル
３  ：液晶パネル
４  ：蛍光管
５  ：バックライトシャーシ
６ａ：高電圧基板
６ｂ：中・低電圧基板
１０：絶縁カバー部材
２０：シート巻取り部
３０：背面カバーセンサ
４０：絶縁カバーセンサ
４１：引掛け部
５０：活電部給電制御回路
【図１】
2010060828.tif 000003
【図２】
2010060828.tif 000004
【図３】
2010060828.tif 000005